(57)【要約】【課題】印刷内容を気にすることなく着用することが可能なシャツを提供する。【解決手段】裏面に印刷されていることを特徴とするシャツ。【選択図】なし【特許請求の範囲】
【請求項１】
裏面に印刷されていることを特徴とするシャツ。
【請求項２】
シャツ着用時に裏面の印刷が表側から視認できないことを特徴とする請求項１に記載のシャツ。
【請求項３】
シャツ着用時に裏面の印刷の一部が表側から視認でき、残部が表側から視認できないことを特徴とする請求項１に記載のシャツ。
【請求項４】
前記印刷が単色印刷であることを特徴とする請求項１〜３のいずれか一項に記載のシャツ。
【請求項５】
前記印刷が多色印刷であることを特徴とする請求項１〜３のいずれか一項に記載のシャツ。
【請求項６】
前記印刷が文字を含むことを特徴とする請求項１〜５のいずれか一項に記載のシャツ。
【請求項７】
前記印刷が図形を含むことを特徴とする請求項１〜６のいずれか一項に記載のシャツ。
【請求項８】
前記印刷がシャツの前側の裏面になされていることを特徴とする請求項１〜７のいずれか一項に記載のシャツ。
【請求項９】
前記印刷がシャツの後側の裏面になされていることを特徴とする請求項１〜８のいずれか一項に記載のシャツ。
【請求項１０】
前記印刷がシャツの襟またはその近傍の裏面になされていることを特徴とする請求項１〜９のいずれか一項に記載のシャツ。
【請求項１１】
前記印刷がシャツの裾またはその近傍の裏面になされていることを特徴とする請求項１〜１０のいずれか一項に記載のシャツ。
【請求項１２】
前記シャツがＴシャツであることを特徴とする請求項１〜１１のいずれか一項に記載のシャツ。
【請求項１３】
前記Ｔシャツの後側の襟またはその近傍の裏面であって、Ｔシャツをたたんだときに前側から視認できる位置に前記印刷がなされていることを特徴とする請求項１２に記載のシャツ。
【請求項１４】
前記シャツがポロシャツであることを特徴とする請求項１〜１１のいずれか一項に記載のシャツ。
【請求項１５】
請求項１〜１４のいずれか一項に記載のシャツを譲渡または貸与することを特徴とする印刷内容の伝達方法。
【請求項１６】
請求項１〜１４のいずれか一項に記載のシャツを譲渡または貸与することを特徴とする印刷内容の宣伝広告方法。
【請求項１７】
裏面の印刷を視認できる状態でシャツを譲渡または貸与することを特徴とする請求項１５または１６に記載の方法。
【請求項１８】
前側の裾またはその近傍の裏面に印刷されたシャツの印刷部分が視認できる状態でシャツを譲渡または貸与することを特徴とする請求項１７に記載の方法。
【請求項１９】
後側の襟またはその近傍の裏面に印刷されたシャツの印刷部分が視認できる状態でシャツを譲渡または貸与することを特徴とする請求項１７に記載の方法。
【請求項２０】
着用時に裏返して着用することを前提として、裏返した状態で譲渡または貸与することを特徴とする請求項１５〜１９のいずれか一項に記載の方法。
【発明の詳細な説明】
【技術分野】
【０００１】
本発明は、Ｔシャツを始めとするシャツと、そのシャツを用いた方法に関する。より詳細には、印刷の態様が工夫されたシャツと、そのシャツを譲渡することによる印刷内容の伝達方法に関する。
【背景技術】
【０００２】
Ｔシャツは、比較的安価に製造・販売されており、気軽に着ることができることから広く一般に普及している。また、Ｔシャツの表面に様々な印刷を施すことによって、他のＴシャツとの差別化を図ることが一般に行われている。例えば、Ｔシャツの表面にキャラクターを印刷したり、団体を表示するロゴを印刷したり、メッセージ性を持たせた文字を印刷したり、あるいは意匠性のある図柄を印刷したりすることにより、衣類であるＴシャツに付加価値をつけることが一般に行われている。
【０００３】
これらの印刷は、Ｔシャツを着たときに他人に視認させることを意図しているため、他人が認識できるようにＴシャツの表面に印刷がなされる。このため、従来からＴシャツ類の表面に印刷する方法や装置に関する発明が種々なされてきた（例えば、特許文献１〜３参照）。
【０００４】
しかしながら、Ｔシャツの表面に印刷された図柄や文字は、Ｔシャツ所有者の好みや流行に合致しないこともあり、そのような場合は印刷された図柄や文字が原因でＴシャツの着用が敬遠されることがある。例えば、期間限定の催し物を表すロゴが印刷されたＴシャツはその期間が終了した後は着用されなくなり、流行のキャッチフレーズを表す文字が印刷されたＴシャツは流行が下火になると着用されなくなる傾向がある。特に期間や流行が短期であったり、好ましくないイメージが化体したりすると、その傾向が強くなる。
【０００５】
また、Ｔシャツは記念品や広告媒体物として譲渡されることがあり、受け取った者がＴシャツの印刷を気に入らなかった場合はＴシャツが着用されないこともある。例えば、企業キャンペーンの図柄などが印刷されたＴシャツは、受け取った後に初めて広げて全体の図柄を確認することも多いため、このような事態が生じやすい。
【０００６】
さらに、Ｔシャツは個人や団体などの発注により制作することも多く、中には他人に印刷を視認させることを目的とせず、個人や団体内だけで印刷内容を利用したり楽しんだりすることもある。例えば、不特定多数の人に視認されることが相応しくない内容を印刷したい場合や、視認されることが恥ずかしい内容を印刷したい場合もある。このような場合は、表面に印刷をしてしまうとＴシャツを着用する場所や時間が大幅に制限されることとなる。
【特許文献１】特開２０００−５２５３１号公報
【特許文献２】特開２００２−３６１８４７号公報
【特許文献３】特開２００５−６８５９５号公報
【発明の開示】
【発明が解決しようとする課題】
【０００７】
このように、Ｔシャツになされている印刷が原因となって、着用可能なＴシャツが着用されることなく保管・廃棄されたり、あるいは着用の機会が制限されたりすることがある。中には、形やサイズが気に入っているにもかかわらず、着用が見送られることもある。このような事態は、資源の有効利用を図り、地球環境の改善を求める昨今の社会情勢に反するものである。
【０００８】
そこで本発明は、印刷内容を気にすることなく着用することが可能なシャツを提供することを目的とした。また、そのような新しいシャツを利用して、シャツの印刷内容を伝達する方法や宣伝広告する方法を提供することも目的とした。
【課題を解決するための手段】
【０００９】
本発明者らは鋭意検討を重ねた結果、シャツの裏面に印刷をすることにより従来技術の課題を解決しうることを見出した。すなわち、課題を解決する手段として、以下の本発明を提供するに至った。
［１］  裏面に印刷されていることを特徴とするシャツ。
［２］  シャツ着用時に裏面の印刷が表側から視認できないことを特徴とする［１］に記載のシャツ。
［３］  シャツ着用時に裏面の印刷の一部が表側から視認でき、残部が表側から視認できないことを特徴とする［１］に記載のシャツ。
［４］  前記印刷が単色印刷であることを特徴とする［１］〜［３］のいずれか一項に記載のシャツ。
［５］  前記印刷が多色印刷であることを特徴とする［１］〜［３］のいずれか一項に記載のシャツ。
［６］  前記印刷が文字を含むことを特徴とする［１］〜［５］のいずれか一項に記載のシャツ。
［７］  前記印刷が図形を含むことを特徴とする［１］〜［６］のいずれか一項に記載のシャツ。
［８］  前記印刷がシャツの前側の裏面になされていることを特徴とする［１］〜［７］のいずれか一項に記載のシャツ。
［９］  前記印刷がシャツの後側の裏面になされていることを特徴とする［１］〜［８］のいずれか一項に記載のシャツ。
［１０］  前記印刷がシャツの襟またはその近傍の裏面になされていることを特徴とする［１］〜［９］のいずれか一項に記載のシャツ。
［１１］  前記印刷がシャツの裾またはその近傍の裏面になされていることを特徴とする［１］〜［１０］のいずれか一項に記載のシャツ。
［１２］  前記シャツがＴシャツであることを特徴とする［１］〜［１１］のいずれか一項に記載のシャツ。
［１３］  前記Ｔシャツの後側の襟またはその近傍の裏面であって、Ｔシャツをたたんだときに前側から視認できる位置に前記印刷がなされていることを特徴とする［１２］に記載のシャツ。
［１４］  前記シャツがポロシャツであることを特徴とする［１］〜［１１］のいずれか一項に記載のシャツ。
［１５］  ［１］〜［１４］のいずれか一項に記載のシャツを譲渡または貸与することを特徴とする印刷内容の伝達方法。
［１６］  ［１］〜［１４］のいずれか一項に記載のシャツを譲渡または貸与することを特徴とする印刷内容の宣伝広告方法。
［１７］  裏面の印刷を視認できる状態でシャツを譲渡または貸与することを特徴とする［１５］または［１６］に記載の方法。
［１８］  前側の裾またはその近傍の裏面に印刷されたシャツの印刷部分が視認できる状態でシャツを譲渡または貸与することを特徴とする［１７］に記載の方法。
［１９］  後側の襟またはその近傍の裏面に印刷されたシャツの印刷部分が視認できる状態でシャツを譲渡または貸与することを特徴とする［１７］に記載の方法。
［２０］  着用時に裏返して着用することを前提として、裏返した状態で譲渡または貸与することを特徴とする［１５］〜［１９］のいずれか一項に記載の方法。
【発明の効果】
【００１０】
本発明のシャツは、裏面に印刷がなされているため、印刷内容のいかんにかかわらず、所有者が着用しやすいという利点を有する。このため、シャツの着用が促進され、資源の有効利用を図ることができる。
【００１１】
また、本発明の方法によれば、表面に印刷しにくい文字や図柄であっても、シャツに印刷することができる。このため、本発明の方法によれば、シャツの新たな需要を喚起し、シャツの幅広い利用を促進することができる。
【発明を実施するための最良の形態】
【００１２】
以下において、本発明のシャツおよびそれを用いた方法について詳細に説明する。以下に記載する構成要件の説明は、本発明の代表的な実施態様に基づいてなされることがあるが、本発明はそのような実施態様に限定されるものではない。
【００１３】
本発明のシャツは、裏面に印刷されていることを特徴とする。
【００１４】
本発明の適用対象となるシャツは、裏面に印刷することができるものであれば、その種類（形、サイズ、布地）は特に制限されない。好ましいのはＴシャツやポロシャツであり、特に好ましいのはＴシャツである。本明細書において「Ｔシャツ」とは、袖を広げた形がＴの字になる、半袖ないしは長袖の丸首シャツをいう。また、本明細書において「ポロシャツ」とは、半袖ないしは長袖の共襟のシャツをいう。
【００１５】
本発明における印刷を行う箇所は、シャツの裏面である。本明細書において「裏面」とは、着用したときに肌側に向く面をいい、通常の着用時に外から視認することができない面をいう。印刷を行う箇所は、シャツの裏面であればどの部位であるかは問わない。例えば、裏面の全体に印刷を行ってもよいし、裏面の一部の箇所だけに印刷を行ってもよい。裏面の一部の箇所に印刷を行う場合は、印刷箇所が一カ所であってもよいし、複数箇所であってもよい。また、印刷を行う部位は、前側（胸側）の全面または一部であってもよいし、後側（背側）の全面または一部であってもよい。例えば、腹部、胸部、襟（首まわり）またはその近傍、裾またはその近傍であってもよい。
【００１６】
本発明における印刷を行う箇所は、シャツをたたんだときに裏面になされた印刷を前面から視認できる箇所であることが特に好ましい。例えば、Ｔシャツであれば、通常のたたみ方にしたがって襟が表面になるようにたたんだときに後襟よりも前襟が下側に来るため、後襟裏面に印刷をしておけば前面から印刷内容を視認することが可能である。
【００１７】
本発明における印刷の態様は特に制限されない。文字であっても、図柄であっても、ロゴであってもよい。また、印刷形状は、線状、帯状、点状、放射状であっても、これらを組み合わせたものであってもよく、また抽象的な図柄であってもよい。印刷サイズは、印刷内容を認識しうるものであれば特に制限されない。例えば、１０ｃｍ四方サイズの印刷や、長辺２０ｃｍの横長サイズの印刷などを挙げることができる。
【００１８】
本発明における印刷の色も特に制限されない。単色印刷であってもよいし、多色印刷であってもよい。また、白黒印刷であっても、カラー印刷であってもよい。
【００１９】
なお、本発明における印刷には、タグになされる印刷は含まれない。すなわち、通常のＴシャツの襟や裾の裏面に縫い合わせて装着されるタグになされる印刷は、本発明における印刷に含まれない。本発明における印刷は、シャツの布地の裏面に直接なされる印刷である。
【００２０】
本発明における印刷内容については、多種多様であり、特に制限されない。従来、表面に印刷されていたあらゆる印刷内容を、本発明にしたがって裏面に印刷することが可能である。もっとも、本発明の特徴を効果的に利用するためには、裏面に印刷する内容は、高頻度で長い間、積極的にシャツを着用し続けようと思わせ難いものであることが好ましい。
【００２１】
例えば、企業名や企業ロゴが入った宣伝用の印刷や、商品名や商品図（写真を含む）を含む広告用の印刷などを挙げることができる。また、特定のサービスや運動を表すような印刷や、キャンペーン用の印刷も挙げることができる。これらの印刷がなされたシャツを、企業や商品等と関係がない場で着用する際に本発明の利用価値は高まる。
【００２２】
また、表には出したくないが趣味や記念として印刷しておきたい事項を印刷する際にも、本発明は有用である。例えば、個人名、特定の団体名や施設名、特定人や特定団体に対するメッセージ、特定人や特定団体間でのみ共有したい秘密事項などを印刷することができる。具体的には、結婚、成人、誕生、アニバーサリー、クリスマス、バレンタインデーなどの記念や、思い出や個人的なメッセージなどを裏面に印刷したりすることができる。これらの印刷は、表面になされていると着用の機会が大幅に制限されるが、裏面になされていると着用の機会は大きく広がる。
【００２３】
これらの印刷は、適宜組み合わせて行うことも可能である。例えば、結婚記念のシャツを製造する際に、結婚年月日、氏名、場所とともに、宣伝用に式場の名前やロゴを入れたり、シャツ製造会社や印刷会社の名前やロゴを入れて裏面印刷することもできる。
【００２４】
本発明にしたがって裏面に行われた印刷は、着用時に表側から視認できない部分を含む。好ましいのは、裏面に行われた印刷のすべてが表側から視認できない態様である。もっとも、裏面に行われた印刷の一部が表側から視認することができても、視認できる部分が意匠的に優れた図柄であったり、メッセージ性のないものである場合は、本発明の目的を達成することができる。
【００２５】
また、本発明のシャツは、表面にも印刷がなされているものであってもよい。表面の印刷の態様は特に制限されない。
【００２６】
印刷の方法については、特に制限されない。シャツ裏面の布地と印刷用インクと印刷条件を適宜選択して組み合わせることによって、印刷を行うことができる。
【００２７】
本発明のシャツは、譲渡または貸与することによって、印刷内容を伝達したり、宣伝広告したりすることができる。譲渡または貸与は、有償であっても無償であっても構わない。
【００２８】
譲渡または貸与時のシャツの形態は特に制限されないが、裏面に印刷されていることが容易に把握できる状態で譲渡または貸与されることが好ましい。例えば、包装袋やタグなどに、裏面に印刷されていることを注意書きしておいてもよいし、口頭で裏面に印刷されていることを伝達してもよい。
【００２９】
最も好ましいのは、裏面になされている印刷が見える状態で譲渡または貸与する場合である。例えば、シャツ全体を敢えて裏返しにして印刷内容が表から見えるようにして譲渡または貸与してもよい。また、シャツ全体を裏返しせず、印刷されている部分だけが見えるように部分的に裏返した状態で譲渡または貸与してもよい。さらに、裏返さなくてもたたんだときに裏面の印刷内容を視認することができるような位置に印刷を行っておき、通常のたたみ方でシャツを譲渡または貸与してもよい。例えば、Ｔシャツであれば、通常のたたみ方にしたがって襟が表面になるようにたたんだときに後襟よりも前襟が下側に来るため、後襟裏面に印刷をしておけば前面から印刷内容を視認することが可能である。
【００３０】
また、広告宣伝を重視する場合は、特にシャツを着用するときに目につきやすい箇所に印刷を行っておくことが好ましい。Ｔシャツなどのシャツを着用するときは、裾を開いて前裾の裏面を見ながら着用するのが一般的である。したがって、前側の裾またはその近傍の裏面に印刷されたシャツであれば、広告宣伝効果を高めることができる。後襟裏面と前裾裏面の両方に印刷を行っておけば、たたんでいるときには後襟裏面の印刷を視認することができ、着用するときは前裾裏面の印刷を視認することができるため、広告宣伝効果を一段と高めることができる。
【００３１】
以上の説明は、本発明の代表的な実施態様を例示して行ったが、本発明には当業者に自明な変更、付加、置換などの改変を適宜行うことが可能である。このような改変を行ったシャツや方法についても、本発明の範囲内に含まれる。
【産業上の利用可能性】
【００３２】
本発明のシャツは、裏面に印刷がなされているため、印刷内容のいかんにかかわらず、所有者が着用しやすいという利点を有する。また、本発明の方法によれば、従来法にしたがって表面に印刷しにくい文字や図柄であっても、シャツに印刷することができる。このため、本発明によれば、シャツの新たな需要を喚起し、シャツの幅広い利用が促進され、資源の有効利用を図ることができる。したがって、本発明は産業上の利用可能性が高い。